(57)【要約】      （修正有）【課題】羽根動作の安定化が可能で、羽根の小型化あるいは高速動作に有利な羽根駆動装置及びシャッタ装置並びに撮像装置を提供する。【解決手段】光が通過する開口部を形成する開口形成部材と、開口部に対して出入りする羽根と、羽根が有する長孔２２ｂに係合して羽根に動力を伝達する駆動ピン４１ａとが備えられ、開口形成部材には、羽根の駆動停止のために駆動ピン４１ａを当接させる当接部が設けられる。駆動ピン４１ａは、長孔２２ｂの長手方向一端部側に位置する駆動開始位置と、長孔２２ｂの長手方向一端部と対向する長手方向他端部側に位置する駆動停止位置との間を往復移動して、開口部に対して羽根を繰り返し出入りさせる。駆動ピン４１ａが当接部に当接した衝撃によって駆動停止位置から離れる方向に動いたときに駆動ピン４１ａを実質的に収容するための収容退避部が、長孔２２ｂの長手方向他端部側に連通して設けられる。【選択図】図６
2016218193.tif 000002
【特許請求の範囲】
【請求項１】
光が通過する開口部を形成する開口形成部材と、
前記開口部に対して出入りする羽根と、
前記羽根が有する長孔に係合して前記羽根に動力を伝達する駆動ピンと、を備え、
前記開口形成部材には、前記羽根の駆動停止のために前記駆動ピンを当接させる当接部が設けられ、
前記駆動ピンは、前記長孔の長手方向一端部側に位置する駆動開始位置と、前記長孔の長手方向一端部とは反対の長手方向他端部側に位置する駆動停止位置との間を往復移動して、前記開口部に対して前記羽根を繰り返し出入りさせ、
前記羽根のうち前記長孔の長手方向他端部側には、前記駆動ピンが前記当接部に当接した衝撃によって前記駆動停止位置から離れる前記駆動ピンを実質的に収容する収容退避部が連通して設けられたことを特徴とする羽根駆動装置。
【請求項２】
前記収容退避部は、前記駆動停止位置から離れる前記駆動ピンの移動量に相当する前記駆動ピンの径方向における一部を少なくとも収容することを特徴とする請求項１に記載の羽根駆動装置。
【請求項３】
前記開口形成部材には、前記羽根が有する回動中心孔に挿通される回動中心軸が設けられ、前記長孔の長手方向他端部は、前記長孔のうち前記回動中心孔側の端部であることを特徴とする請求項１又は２に記載の羽根駆動装置。
【請求項４】
前記羽根は、１つの前記開口部に対して複数枚設けられ、１つの前記駆動ピンに対して前記羽根のそれぞれの前記長孔が共通して挿通されたことを特徴とする請求項１乃至３のいずれか１項に記載の羽根駆動装置。
【請求項５】
請求項１乃至４のいずれか１項に記載の羽根駆動装置と、前記駆動ピンを駆動する駆動手段とを備えたことを特徴とするシャッタ装置。
【請求項６】
請求項１乃至４に記載の羽根駆動装置を備えたことを特徴とする撮像装置。
【請求項７】
請求項５に記載のシャッタ装置を備えたことを特徴とする撮像装置。
【発明の詳細な説明】
【技術分野】
【０００１】
本発明は、羽根を駆動する羽根駆動装置、及びこの羽根駆動装置を備えたシャッタ装置、並びに、羽根駆動装置又はシャッタ装置を備えた撮像装置に関する。
【背景技術】
【０００２】
従来の羽根駆動装置としては、カメラ用のシャッタ装置が知られている（特許文献１参照）。この特許文献に開示のカメラ用シャッタ装置は、シャッタ地板と羽根押え板との間で２枚のセクタ羽根によりレンズ開口を開閉する構造を有する。
【先行技術文献】
【特許文献】
【０００３】
【特許文献１】特開平８−１５２６６７号公報
【発明の概要】
【発明が解決しようとする課題】
【０００４】
上記特許文献１のカメラ用シャッタ装置においては、２枚のセクタ羽根が有する長孔を重ねて駆動ピンを挿通させ、その駆動ピンをシャッタ地板に設けた孔内で往復動作させることにより、レンズ開口を開閉するように２枚のセクタ羽根を駆動する構造を有する。このような羽根駆動の構成では、駆動ピンがシャッタ地板に当接した衝撃でバウンド動作してしまうと、これに伴って２枚のセクタ羽根が連動してしまう。このため、セクタ羽根の動作が安定化せず、例えば、２枚のセクタ羽根によってレンズ開口を閉じた状態を十分に維持できないため、再露光が生じるおそれがある。この再露光を防止する対策としては、羽根同士の重なりを十分にとる必要があるため、羽根が大型化するだけでなく、羽根の高速動作にとっても不利である。
【０００５】
本発明は、羽根の動作を安定化させつつ、羽根の小型化あるいは高速動作に非常に有利な羽根駆動装置及びシャッタ装置並びに撮像装置を提供する。
【課題を解決するための手段】
【０００６】
本発明の羽根駆動装置は、光が通過する開口部を形成する開口形成部材と、前記開口部に対して出入りする羽根と、前記羽根が有する長孔に係合して前記羽根に動力を伝達する駆動ピンと、を備え、前記開口形成部材には、前記羽根の駆動停止のために前記駆動ピンを当接させる当接部が設けられ、前記駆動ピンは、前記長孔の長手方向一端部側に位置する駆動開始位置と、前記長孔の長手方向一端部とは反対の長手方向他端部側に位置する駆動停止位置との間を往復移動して、前記開口部に対して前記羽根を繰り返し出入りさせ、前記羽根のうち前記長孔の長手方向他端部側には、前記駆動ピンが前記当接部に当接した衝撃によって前記駆動停止位置から離れる前記駆動ピンを実質的に収容する収容退避部が連通して設けられたことを特徴とする。
かかる本発明の態様では、駆動ピンが当接部に当接した衝撃で駆動停止位置から離れる方向にバウンド動作したとしても、その駆動ピンを収容する収容退避部が羽根の長孔に連通して設けられているので、駆動ピンのバウンド動作に伴う羽根の連動を有効に防止できるため、羽根の動作が安定化し、羽根の小型化、高速動作に非常に有利となる。
【０００７】
また、上記本発明では、前記収容退避部は、前記駆動停止位置から離れる前記駆動ピンの移動量に相当する前記駆動ピンの径方向における一部を少なくとも収容することを特徴としてもよい。
かかる本発明の態様では、羽根の剛性を確保しつつ、駆動ピンのバウンド動作に伴う羽根の連動を有効に防止できる。
【０００８】
また、上記本発明では、前記開口形成部材には、前記羽根が有する回動中心孔に挿通される回動中心軸が設けられ、前記長孔の長手方向他端部は、前記長孔のうち前記回動中心孔側の端部であることを特徴としてもよい。
かかる本発明の態様では、羽根を開口部に近い位置で回動させることができるため、装置全体の更なる小型化に有利である。
【０００９】
また、上記本発明では、前記羽根は、１つの前記開口部に対して複数枚設けられ、１つの前記駆動ピンに対して前記羽根のそれぞれの前記長孔が共通して挿通されたことを特徴としてもよい。
かかる本発明の態様では、複数の羽根を１つの駆動ピンで同時に駆動できるため、装置全体の更なる小型化、低コスト化に有利であり、また駆動ピンのバウンド動作に伴って複数の羽根が連動することも有効に防止できる。
【００１０】
また、本発明は、上述した羽根駆動装置と、前記駆動ピンを駆動する駆動手段とを備えたことを特徴とするシャッタ装置、あるいはこのシャッタ装置又は上述した羽根駆動装置を備えた撮像装置に広く適用可能である。
かかる本発明の態様によれば、羽根の動作を安定的に実行できることから、高品質な光量調整機能を持つシャッタ装置、撮像装置を実現できる他、これらシャッタ装置、撮像装置の小型化や高速撮影にも非常に有利である。
【発明の効果】
【００１１】
本発明によれば、羽根の動作を安定化させつつ、羽根の小型化あるいは高速動作に非常に有利な羽根駆動装置及びシャッタ装置並びに撮像装置を実現できる。
【図面の簡単な説明】
【００１２】
【図１】本発明の実施形態１に係る羽根駆動装置の分解斜視図。
【図２】図１の羽根駆動装置において羽根全開状態を示す平面図。
【図３】図２に示す全開状態時の駆動ピンと羽根の関係を示す要部拡大図。
【図４】図２に示す全開状態時の駆動ピンと羽根の関係を示す要部拡大図。
【図５】図１の羽根駆動装置において羽根全閉状態を示す平面図。
【図６】図５に示す全閉状態時の駆動ピンと羽根の関係を示す要部拡大図。
【図７】図５に示す全閉状態時の駆動ピンと羽根の関係を示す要部拡大図。
【図８】本発明の実施形態２に係る羽根駆動装置の分解斜視図。
【図９】図８の羽根駆動装置の羽根全開状態を示す平面図。
【図１０】図８の羽根駆動装置の羽根全閉状態を示す平面図、
【図１１】図１０に示す全閉状態時の駆動ピンと羽根の関係を示す要部拡大図。
【発明を実施するための形態】
【００１３】
以下、本発明を実施の形態に基づいて詳細に説明する。
本発明の羽根駆動装置は、光が通過する開口部に対して出入りする羽根に設けられて駆動ピンが係合する長孔の形状に特徴がある。具体的には、光が通過する開口部を形成する開口形成部材と、開口部に対して出入りする羽根と、羽根が有する長孔に係合して羽根に動力を伝達する駆動ピンと、を備える。ここで、開口形成部材には、羽根の駆動停止のために駆動ピンを当接させる当接部が設けられている。駆動ピンは、羽根の長孔に沿って往復移動するが、往復動作のうち少なくとも一方側の折返し時において上記開口形成部材の当接部に当接してその移動が一時停止される。例えば、駆動ピンが羽根の長孔の長手方向一端部側に位置するときを駆動開始位置とし、駆動ピンが羽根の長孔の長手方向一端部とは反対の長手方向他端部側に位置するときを駆動停止位置とすると、駆動ピンが駆動開始位置と駆動停止位置との間を往復移動するにあたって、少なくとも羽根駆動停止位置において駆動ピンが当接部に当接してその移動が停止される。そして、本発明では、駆動ピンが当接部に当接した衝撃によって駆動停止位置から離れる動作（以下、バウンド動作ともいう）に羽根が連動しないように、バウンド動作する駆動ピンを実質的に収容する収容退避部が長孔に連通して設けられている。この収容退避部は、長孔の端部の一部を広げて形成されたものであり、長孔の幅よりもその端部を実質的に広くした部分である。なお、羽根の移動に関しては、駆動ピンが駆動開始位置から駆動を開始するとこれに連動して開口部に向けた羽根の走行（駆動）が開始され、駆動ピンが駆動停止位置に移動するとこれに連動して羽根の走行（駆動）が実質的に終了する。また、これら駆動開始位置及び駆動停止位置は、長孔における駆動ピンの位置をそれぞれ示すものであり、各々は予め決められて異なる位置となるが、駆動ピンの位置がこの駆動ピンに連動する羽根の位置を実質的に決めるものである。
【００１４】
したがって、羽根駆動に伴って駆動ピンがバウンド動作したとしても、その駆動ピンを収容する収容退避部が羽根の長孔に連通して設けられているので、バウンド動作する駆動ピンが羽根に直ぐに当接して作用せずに駆動ピンの一部が収容退避部に収容される。このため、駆動ピンのバウンド動作に伴う羽根の連動を有効に防止でき、羽根の安定動作を実現できる。これにより、例えば、駆動ピンのバウンド動作に伴って羽根が連動して光量調整が不安定とならないように予め羽根の外形を大きくしなくてもよいため、羽根の小型化、高速動作に非常に有利である。すなわち、本発明によれば、羽根駆動装置の小型化及び高速動作化に非常に有利である。
【００１５】
ここで、駆動ピンを収容する収容退避部は、長孔の一部を構成し、駆動ピンがバウンド動作に伴って所定の駆動停止位置から離れる方向の移動量に相当する、駆動ピンの径方向の少なくとも一部を収容する程度の大きさで設けられているのが好ましい。これにより、羽根の十分な剛性を確保しながら収容退避部を設けることができる。例えば、羽根に対して収容退避部をそれ以上大きく形成すると、長孔の全体が実質的に大きくなって、羽根の剛性が低下するおそれがあるため、収容退避部は、駆動ピンがバウンド動作で動く程度の大きさで形成すればよい。ただし、例えば、羽根の材質や厚さの最適化、あるいは補強等の構造を改良して羽根の剛性が十分に確保できる場合には、駆動ピンのバウンド動作による可動範囲よりも大きい形状で収容退避部を形成してもよい。これにより、バウンド動作する駆動ピンが羽根に作用することをより確実に防止できる。なお、このような収容退避部は、例えば、長孔の長手方向に対して交差する方向に長孔の縁部を実質的に拡大した部分となるように、長孔の形状が部分的に大きくなるように形成される。
【００１６】
また、本発明では、光が通過する開口部に対して羽根を旋回又は回動させて出入りさせる構造とする場合、羽根の長孔のうち羽根回動中心側の端部において上記収容退避部を設けるようにするのが好ましい。詳細には、開口形成部材には、羽根が有する回動中心孔に挿通される回動中心軸が設けられ、収容退避部が設けられた羽根の長孔の端部を回動中心孔側に設けるのが好ましい。羽根の回動中心を開口部に近い位置に設けて、羽根を回動できるためである。すなわち、羽根を開口部の近い位置で回動させることができ、装置全体の更なる小型化を図ることができる。
【００１７】
さらに、本発明では、１つの駆動ピンに対して１枚の羽根を係合させた構造としてもよいが、１つの駆動ピンに対して複数枚の羽根を係合させてもよい。この場合、各羽根には、回動中心孔がそれぞれ設けられ、開口形成部材にはその各回動中心孔に連通する回転中心軸が設けられる。そして、各羽根の長孔は、それぞれ相互連通させて、１つの駆動ピンに係合する構造となる。これにより、１つの駆動ピンが複数の羽根に駆動伝達する構造となり、１つの駆動ピンで複数の羽根を同時に駆動できるため、装置全体の更なる小型化、低コスト化に有利であるが、さらに本発明では、１つの駆動ピンのバウンド動作に伴って複数の羽根が連動することも有効に防止できる。
【００１８】
なお、本発明では、上述した羽根駆動装置と、前記駆動ピンを駆動する駆動手段とを備えたことを特徴とするシャッタ装置、あるいはこのシャッタ装置又は上述した羽根駆動装置を備えた撮像装置に広く適用可能である。例えば、開口形成部材に設けられた光が通過する開口部に対して出入りする羽根としては、その開口部よりも小さい貫通孔が設けられた羽根、光学フィルタを保持した羽根でもよいし、絞り羽根やシャッタ羽根でもよい。そして、本発明では、これら羽根を１枚又は複数枚使って、光が通過する経路において光量を調整する光量調整装置に適用可能であり、このような光量調整装置としては、カメラ用の絞り装置、シャッタ装置等が挙げられる。また、本発明は、これら光量調整装置を備えたカメラ等の撮像装置にも広く適用して、高品質な光量調整機能を持った撮像装置を実現できる。
【００１９】
以下、図面を参照して、本発明を実施の形態に基づいてより具体的に説明する。
＜実施形態１＞
図１は、本発明の実施形態１に係る羽根駆動装置の一例であるカメラ用シャッタ装置の全体を示すものである。このカメラ用シャッタ装置は、図示するように、露光用の開口部１０ａ、３０ａを有する地板１０および押え板３０と、開口部１０ａ、３０ａを開閉するシャッタ羽根２０（２１、２２）を駆動する電磁駆動源としての電磁アクチュエータ４０を備えている。なお、地板１０及び押え板３０は、それぞれ開口部１０ａ、３０ａが設けられた開口形成部材の一例である。
【００２０】
地板１０には、図１に示すように、露光用の開口部１０ａ、シャッタ羽根２１を支持する支軸１０ｂ、１０ｃ、シャッタ羽根２０が開きまたは閉じ側に移動する際に所定以上の移動を規制する規制部材としてストッパ１０ｄ、１０ｅ、１０ｆ、１０ｇが形成されている。
【００２１】
また、電磁アクチュエータ４０は、図１に示すように、シャッタ羽根２０を駆動する駆動ピン４１ａを駆動するための駆動手段であり、Ｎ極およびＳ極に着磁されかつ所定の角度範囲を回転自在に支持されたロータ４１と、励磁用のコイル４２と、磁気回路を形成するヨーク４３、等により形成されている。ロータ４１には、回転中心とは非同軸位置においてシャッタ羽根２０に連結される駆動ピン４１ａが一体的に形成されている。
【００２２】
シャッタ羽根２０は、図１、２、５に示すように、第１シャッタ羽根２１、第２シャッタ羽根２２により構成されている。シャッタ羽根２１、２２には各々円孔２１ａ、２２ａと長孔２１ｂ、２２ｂが形成されている。円孔２１ａ、２２ａには地板１０の支軸１０ｂ、１０ｃが挿入され、第１シャッタ羽根２１、第２シャッタ羽根２２は回転自在に支持されている。長孔２１ｂ、２２ｂには駆動ピン４１ａが挿入されている。
【００２３】
シャッタ羽根２０は、ロータ４１が回転することにより、例えば図２に示す待機位置から図３に示すように閉じ動作に至り、再び待機位置に戻るように、お互いに近接および離隔するように回動して、両者の協働作業により開口部１０ａ、３０ａを開放及び閉鎖するようになっている。
【００２４】
図２、３、４に示すようにシャッタ羽根２０が開口部１０ａを開放した全開位置にあるとき、磁気的付勢力により駆動ピン４１ａは全開状態にて保持されている。図５、６、７に示すようにシャッタ羽根２０が開口部１０ａを閉じきる位置から全閉状態に移動する位置も全開位置と同様に磁気的付勢力により駆動ピン４１ａは全閉状態にて保持されている。
【００２５】
図２に示す全開位置の状態から、電磁アクチュエータ４０のコイル４２に駆動パルス信号が通電される。この通電によりロータ４１が反時計方向に回転し、駆動ピン４１ａが反時計方向に回動すると、長孔２１ｂを介して第１のシャッタ羽根２１が回動され、駆動ピン４１ａは長孔２１ｂの左端から右端へと長孔２１ｂの縁を沿うように回動する。
【００２６】
同時に、長孔２２ｂを介して第２のシャッタ羽根２２が回動され、駆動ピン４１ａは長孔２２ｂの右端から左端へと長孔２２ｂの縁を沿うように回動する。この動作の際には、ロータ４１の回転速度は十分に加速されているので、シャッタ羽根２０の移動スピードは大であり、図５のように駆動ピン４１ａはストッパ１０ｅに衝突してそれ以上の移動が阻止され、図５に示す全閉状態で停止する。
【００２７】
駆動ピン４１ａがストッパ１０ｅに速いスピードで衝突した際に、駆動ピン４１ａはバウンドし、長孔２１ｂ、２２ｂを介してシャッタ羽根２０にこのバウンドが伝達され、シャッタ羽根２０は開口部１０ａを開く方向に移動する。このとき、長孔２１ｂ、２２ｂには、駆動ピン４１ａの収容退避部２１ｃ、２２ｃが設けてあるので、シャッタ羽根２０は駆動ピン４１ａのバウンドが伝達されず、シャッタ羽根２０は収容退避部２１ｃ、２２ｃ分だけ慣性により更に開口部１０ａを閉じる方向へ移動する。
【００２８】
したがって、駆動ピン４１ａが開く方向へ移動してもシャッタ羽根２０は閉じる方向へ移動することにより、開口部１０ａ上は第１のシャッタ羽根２１と第２のシャッタ羽根２２の所定の重なり状態が保たれ、駆動ピン４１ａがストッパ１０ｅに当接した開口部１０ａの全閉時に、第１のシャッタ羽根２１と第２のシャッタ羽根２２との間が開いて再露光を生じることがない。
【００２９】
前記の所定の重なり量は、露光しないための必要十分な量でよく、全閉状態のときに第１のシャッタ羽根２１と第２のシャッタ羽根２２が駆動ピン４１ａのバウンドに連動して開閉反対方向に移動する場合に比較して、少ない重なり量で十分閉鎖状態を保つことができる。したがって、シャッタ羽根２０の小型化が可能になり、シャッタ羽根２０の小型化により地板１０を小型化できるので装置全体を小型化でき、シャッタ羽根２０が小型化されて重量が減るためシャッタスピードも向上する。
【００３０】
収容退避部２１ｃ、２２ｃについては、長孔２１ｂ、２２ｂの全域に設けていても、バウンド防止の効果は同じだが、全開状態時に、駆動ピン４１ａと長孔２１ｂ、２２ｂに隙間が大きくあると、シャッタ特性のムラや姿勢差が悪化してしまう懸念があるため、本発明は全閉状態時の駆動ピン４１ａの位置において、バウンド動作した駆動ピンを収容するための収容退避部２１ｃ、２２ｃを設けることを特徴としている。
【００３１】
また、本発明は上記した各実施形態に限定されるものではなく、種々の制御が可能である。例えば、ステッピングモータに所定のパルスを与えて回転させ、２枚の絞り羽根をそれぞれ互いに反対の方向へ直進運動をさせ、２枚の絞り羽根の相互の位置関係によって、地板に形成した開口に対する絞り開口の大きさを（面積）変化させることにより、光量調節が行われる装置にも適用可能である。その例を実施例２に記載する。
【００３２】
＜実施形態２＞
以下、図８〜図１０を参照して、本発明の実施形態２に係る羽根駆動装置について詳細に説明する。図８に示すように、本実施形態の羽根駆動装置（光量調節装置）は、駆動モータであるステッピングモータ９０と、このステッピングモータ９０で回動される遮光部材駆動手段である羽根駆動レバー７０と、この羽根駆動レバー７０の両端にそれぞれ設けられた駆動ピン７０ａ、７０ｂと、駆動ピン７０ａ、７０ｂがそれぞれ係合される略矩形平板状に形成された一対の第１の絞りシャッタ羽根６１と第２の絞りシャッタ羽根６２と、地板５０の片面側に収納配置される一対の第１、第２の絞りシャッタ羽根６１、６２の光軸方向の動きを規制する押さえ部材８０と、光量調節装置の基板をなす地板５０と、を備えている。なお、地板５０には、一対の第１、第２の絞りシャッタ羽根６１、６２を平行移動可能に支持案内するための支持軸５０ｂ、５０ｃが地板１に隔設して設けられている。
【００３３】
また、ステッピングモータ９０は、円筒外周面にＳ極とＮ極を交互に例えば１０極着磁された不図示のロータ（ロータマグネット）と、該ロータマグネットに設けられた回動軸と、前記ロータマグネットの外周に配置され、９０度の電気的位相差をもつ励磁コイルからなる２つの電磁石（不図示）とを有している。このステッピングモータ９０は、ステッピングモータ駆動回路（不図示）から前記２つの励磁コイルに通電することにより正逆回転する２相ステッピングモータである。なお、このステッピングモータ９０は、地板５０に固定ネジ１００によって締結されている。
【００３４】
さらに、第１の絞りシャッタ羽根６１の他側には、支持軸５０ｂ、５０ｃと係合する長手方向の前後に長い長孔６１ａ、６１ｂが形成されている。同様に第２の絞りシャッタ羽根６２の他側にも、支持軸５０ｂ、５０ｃと係合する長手方向の前後に長い長孔６２a、６２ｂが形成されている。
【００３５】
本実施形態の羽根駆動装置（光量調整装置）では、羽根駆動レバー７０の回転により一対の絞りシャッタ羽根６１、６２が、互いに相反する方向へ平行往復運動することで、絞りシャッタ羽根６１、６２により絞り開口が形成される。そして、絞りシャッタ羽根６１，６２それぞれの位置関係によって、開口の大きさが変化することにより光量調節が行われるが、羽根は二枚に限らず３枚以上の複数の羽根によって開口を形成するようにしても良い。また、それらの中にＮＤフィルタを含む構成とすることもできる。
【００３６】
図９、図１０に示すようにこの光量調整装置のシャッタ動作としては、羽根駆動レバー７０の回転により一対の絞りシャッタ羽根６１、６２が、互いに相反する方向へ平行往復運動を、開口部５０ａを覆う状態の全閉状態まで動作を行う。この時に、開口部１ａを全開状態(図９)から全閉状態(図１０)の範囲の動作では、駆動ピン７０ａが反時計方向に回動すると、長孔６１ｃを介して第１の絞りシャッタ羽根６１が回動され、駆動ピン７０ａは長孔６１ｃの右端から左端へと長孔６１ｃの縁に沿うように移動する。同様に駆動ピン７０ａが反時計方向に回動すると、長孔６２ｃを介して第２の絞りシャッタ羽根６２が回動され、駆動ピン７０ａは長孔６２ｃの左端から右端へと長孔６２ｃの縁に沿うように移動する。
【００３７】
なお、本実施形態では、上述した実施形態１と同様に、絞りシャッタ羽根６１、６２の全閉状態の位置には、収容退避部６１ｄ、６２ｄが設けてあり、再露光を防止することが可能である。
【符号の説明】
【００３８】
１０  地板
１０ａ  開口部
１０ｂ、１０ｃ  支軸
１０ｄ、１０ｅ、１０ｆ、１０ｇ  ストッパ
２０  シャッタ羽根
２１  第１のシャッタ羽根
２１ａ  円孔
２１ｂ  長孔
２１ｃ  収容退避部
２２  第２のシャッタ羽根
２２ａ  円孔
２２ｂ  長孔
２２ｃ  収容退避部
３０  押え部材
３０ａ  開口部
４０  電磁アクチュエータ
４１  ロータ
４１ａ  駆動ピン
４１ｂ  穴
４２  コイル
４３  ヨーク
４４  ヨーク押え部材
４５  ビス
５０  地板
５０ａ  開口部
５０ｂ、５０ｃ  支軸
５０ｄ、５０ｅ  ストッパ
６０  絞りシャッタ羽根
６１  第１の絞りシャッタ羽根
６１ａ、６１ｂ、６１ｃ  長孔
６１ｄ  収容退避部
６２  第２の絞りシャッタ羽根
６２ａ、６２ｂ、６２ｃ  長孔
６２ｄ  収容退避部
７０  羽根駆動レバー
７０ａ、７０ｂ  駆動ピン
８０  押え部材
８０ａ  開口部
９０  ステッピングモータ
１００  ビス
【図１】
2016218193.tif 000003
【図２】
2016218193.tif 000004
【図３】
2016218193.tif 000005
【図４】
2016218193.tif 000006
【図５】
2016218193.tif 000007
【図６】
2016218193.tif 000008
【図７】
2016218193.tif 000009
【図８】
2016218193.tif 000010
【図９】
2016218193.tif 000011
【図１０】
2016218193.tif 000012
【図１１】
2016218193.tif 000013